(57)【要約】【課題】ハウジングの大型化を抑制して固定部材を圧入部に圧入することができる基板用コネクタを提供する。【解決手段】基板３の表面に載置されるハウジング５と、このハウジング５に組付けられ基板３に固定されてハウジング５を基板３に固定させる固定部材７とを備えた基板用コネクタ１において、ハウジング５の側壁９に、固定部材７が圧入される圧入部１１を設け、固定部材７の圧入部１１への圧入方向の上流端側に、ハウジング５の側壁９と反対側に向けて屈曲された屈曲部１３を設けた。【選択図】図２
2014229383.tif 000002
【特許請求の範囲】
【請求項１】
基板の表面に載置されるハウジングと、このハウジングに組付けられ前記基板に固定されて前記ハウジングを前記基板に固定させる固定部材とを備えた基板用コネクタであって、
前記ハウジングの側壁には、前記固定部材が圧入される圧入部が設けられ、前記固定部材は、前記圧入部への圧入方向の上流端側に前記ハウジングの側壁と反対側に向けて屈曲された屈曲部が設けられていることを特徴とする基板用コネクタ。
【請求項２】
請求項１記載の基板用コネクタであって、
前記屈曲部は、前記圧入部と対向する対向面が前記圧入部に当接されていることを特徴とする基板用コネクタ。
【請求項３】
請求項１又は２記載の基板用コネクタであって、
前記屈曲部の屈曲代は、前記圧入部の前記ハウジングの側壁と対向する対向壁の肉厚と同等に設定されていることを特徴とする基板用コネクタ。
【発明の詳細な説明】
【技術分野】
【０００１】
本発明は、基板用コネクタに関する。
【背景技術】
【０００２】
従来、基板用コネクタとしては、基板の表面に載置されるハウジングと、このハウジングに組付けられ基板に固定されてハウジングを基板に固定させる固定部材としてのペグとを備えたものが知られている（例えば、特許文献１参照）。
【０００３】
この基板用コネクタでは、ハウジングの側壁にペグ圧入される圧入部としてのコーナーブロックと、ペグに設けられた係止部が挿入される挿入凹部とが設けられている。
【先行技術文献】
【特許文献】
【０００４】
【特許文献１】特開２０１０−５５８８１号公報
【発明の概要】
【発明が解決しようとする課題】
【０００５】
ところで、上記特許文献１のように、ハウジングの圧入部に固定部材を圧入させる基板用コネクタでは、固定部材の圧入部への圧入方向の上流端側を圧入治具によって押圧して固定部材を圧入部に圧入させている。
【０００６】
このような圧入治具を用いる場合には、圧入治具による固定部材の端部の押圧を確実なものとするために、上記特許文献１の基板用コネクタのように、圧入治具を挿入可能な挿入凹部をハウジングの側壁に設ける必要がある。このため、ハウジングが大型化してしまう懸念があった。
【０００７】
そこで、この発明は、ハウジングの大型化を抑制して固定部材を圧入部に圧入することができる基板用コネクタの提供を目的としている。
【課題を解決するための手段】
【０００８】
請求項１記載の発明は、基板の表面に載置されるハウジングと、このハウジングに組付けられ前記基板に固定されて前記ハウジングを前記基板に固定させる固定部材とを備えた基板用コネクタであって、前記ハウジングの側壁には、前記固定部材が圧入される圧入部が設けられ、前記固定部材は、前記圧入部への圧入方向の上流端側に前記ハウジングの側壁と反対側に向けて屈曲された屈曲部が設けられていることを特徴とする。
【０００９】
この基板用コネクタでは、固定部材の圧入部への圧入方向の上流端側にハウジングの側壁と反対側に向けて屈曲された屈曲部が設けられているので、ハウジングの側壁から離間するように押圧代が確保された屈曲部を圧入治具で押圧することによって、固定部材を圧入部に圧入させることができる。
【００１０】
従って、このような基板用コネクタでは、ハウジングの側壁に圧入治具を挿入可能な凹部を設ける必要がなく、ハウジングの大型化を抑制して固定部材を圧入部に圧入することができる。
【００１１】
請求項２記載の発明は、請求項１記載の基板用コネクタであって、前記屈曲部は、前記圧入部と対向する対向面が前記圧入部に当接されていることを特徴とする。
【００１２】
この基板用コネクタでは、屈曲部の圧入部と対向する対向面が圧入部に当接されているので、屈曲部と圧入部との当接を目視することができ、容易に固定部材の圧入部への圧入状況を検知することができる。加えて、屈曲部と圧入部との当接によって固定部材の圧入部に対する位置決めを行うことができる。
【００１３】
請求項３記載の発明は、請求項１又は２記載の基板用コネクタであって、前記屈曲部の屈曲代は、前記圧入部の前記ハウジングの側壁と対向する対向壁の肉厚と同等に設定されていることを特徴とする。
【００１４】
この基板用コネクタでは、屈曲部の屈曲代が圧入部のハウジングの側壁と対向する対向壁の肉厚と同等に設定されているので、屈曲部が圧入部から張り出すことがなく、大型化を抑制することができる。
【発明の効果】
【００１５】
本発明によれば、ハウジングの大型化を抑制して固定部材を圧入部に圧入することができる基板用コネクタを提供することができるという効果を奏する。
【図面の簡単な説明】
【００１６】
【図１】本発明の実施の形態に係る基板用コネクタの分解斜視図である。
【図２】本発明の実施の形態に係る基板用コネクタの斜視図である。
【図３】（ａ）は本発明の実施の形態に係る基板用コネクタの上面図である。（ｂ）は本発明の実施の形態に係る基板用コネクタの正面図である。
【図４】（ａ）は本発明の実施の形態に係る基板用コネクタの左側面図である。（ｂ）は本発明の実施の形態に係る基板用コネクタの右側面図である。
【図５】本発明の実施の形態に係る基板用コネクタの固定部材の斜視図である。
【図６】（ａ）は本発明の実施の形態に係る基板用コネクタのハウジングの圧入部に固定部材を圧入するときの斜視図である。（ｂ）は図６（ａ）の要部拡大図である。
【図７】（ａ）は本発明の実施の形態に係る基板用コネクタのハウジングの圧入部に固定部材を圧入したときの斜視図である。（ｂ）は図７（ａ）の要部拡大図である。
【発明を実施するための形態】
【００１７】
図１〜図７を用いて本発明の実施の形態に係る基板用コネクタについて説明する。
【００１８】
本実施の形態に係る基板用コネクタ１は、基板３の表面に載置されるハウジング５と、このハウジング５に組付けられ基板３に固定されてハウジング５を基板３に固定させる固定部材７とを備えている。
【００１９】
また、ハウジング５の側壁９には、固定部材７が圧入される圧入部１１が設けられている。
【００２０】
そして、固定部材７は、圧入部１１への圧入方向の上流端側にハウジング５の側壁９と反対側に向けて屈曲された屈曲部１３が設けられている。
【００２１】
また、屈曲部１３は、圧入部１１と対向する対向面が圧入部１１に当接されている。
【００２２】
さらに、屈曲部１３の屈曲代は、圧入部１１のハウジング５の側壁９と対向する対向壁１５の肉厚と同等に設定されている。
【００２３】
図１〜図７に示すように、ハウジング５は、合成樹脂などの絶縁性材料からなり、筐体状に形成され、一端側が開口され内部に相手コネクタ（不図示）が嵌合される嵌合部１７が設けられている。
【００２４】
このハウジング５は、電子部品（不図示）などが表面に実装された回路基板である基板３の表面に載置される。このハウジング５の嵌合部１７内には、ハウジング５の他端側に設けられた端子挿入部１９から挿入される端子２１の接続部２３が配置される。
【００２５】
端子２１は、導電性材料からなり、Ｌ字状に形成され、接続部２３と、基板接続部２５とを備えている。なお、ここでは、ハウジング５に対して２つの端子２１を用いているが、２つ以上、或いは１つの端子２１を用いてもよい。
【００２６】
接続部２３は、端子２１の一端側にタブ状に形成され、ハウジング５の端子挿入部１９から嵌合部１７内に挿入されて配置される。この接続部２３は、ハウジング５の嵌合部１７に相手コネクタが嵌合することにより、相手コネクタ内に収容された電源や機器などに接続された相手端子（不図示）の接続部が接続され、端子２１と相手端子とが電気的に接続される。
【００２７】
基板接続部２５は、端子２１の他端側に設けられ、基板３の回路を形成する導体部に接続される。この基板接続部２５は、ハウジング５に端子２１が組付けられた状態で、ハウジング５を基板３上に配置することにより、基板３の導体部に半田付けされ、端子２１と基板３とが電気的に接続される。
【００２８】
このような端子２１が組付けられるハウジング５には、嵌合部１７の両側壁９，９の基板３側に、それぞれ圧入部１１が設けられている。
【００２９】
圧入部１１は、ハウジング５の側壁９から連続する一部材で形成された両側壁と、この両側壁を連結するように連続する一部材で形成されハウジング５の側壁９と対向して配置された対向壁１５とで、ハウジング５の高さ方向に貫通孔をなすように形成されている。
【００３０】
この圧入部１１の貫通孔の内部は、図示省略するが、固定部材７が圧入されると共に、固定部材７の圧入部１１からの抜け止めを行うように段差形状に形成されている。また、固定部材７の圧入部１１への圧入方向の上流端側である圧入部１１の対向壁１５の上面には、固定部材７の屈曲部１３が当接される突当部２７が形成されている。
【００３１】
このような圧入部１１は、ハウジング５の両側壁９，９にそれぞれ設けられ、この圧入部１１，１１の内部には、それぞれ固定部材７が圧入される。
【００３２】
固定部材７は、薄板状の金属材料からなり、基板固定部２９と、屈曲部１３とを備えている。基板固定部２９は、固定部材７の圧入部１１への圧入方向の下流端側である下端に基板３側に向けて２箇所突設されている。
【００３３】
この基板固定部２９は、固定部材７が圧入部１１に圧入された状態で、圧入部１１から基板３側に向けて突出して配置され、基板３に設けられたランド部３１に半田付けされる。このように基板固定部２９を基板３に固定することにより、固定部材７を介してハウジング５が基板３上に固定される。
【００３４】
屈曲部１３は、固定部材７の圧入部１１への圧入方向の上流端側である上端部を、ハウジング５の側壁９と反対側に向けて屈曲されて設けられている。また、屈曲部１３の屈曲代、詳細には屈曲された方向への長さは、圧入部１１の対向壁１５の肉厚、詳細には対向壁１５の突当部２７の厚さと同等に設定されている。
【００３５】
このように屈曲部１３の屈曲代を対向壁１５の肉厚と同等に設定することにより、固定部材７が圧入部１１に圧入された状態で、屈曲部１３が対向壁１５より外方に向けて張り出すことがなく、屈曲部１３の配置スペースをコンパクト化することができる。
【００３６】
このような屈曲部１３は、基板固定部２９側が圧入部１１に挿入された状態で、圧入治具（不図示）が上面に当接され、固定部材７が基板３側に向けて押圧され、固定部材７が圧入部１１に圧入される。
【００３７】
この固定部材７の圧入は、屈曲部１３の対向壁１５の突当部２７と対向する対向面が突当部２７と当接することによって完了される。なお、このとき、圧入部１１の内部に設けられた段差にも、固定部材７の両側面に設けられた段差部３３，３３が当接される。
【００３８】
このように屈曲部１３を対向壁１５の突当部２７と当接させて固定部材７の圧入部１１への圧入を完了させることにより、固定部材７の圧入部１１への圧入状況を目視によって容易に確認することができる。
【００３９】
このように圧入部１１に固定部材７が圧入されたハウジング５は、基板３上の所定位置に載置され、固定部材７の基板固定部２９を基板３のランド部３１に半田付けすることによって、基板３上に固定される。
【００４０】
このような基板用コネクタ１では、固定部材７の圧入部１１への圧入方向の上流端側にハウジング５の側壁９と反対側に向けて屈曲された屈曲部１３が設けられているので、ハウジング５の側壁９から離間するように押圧代が確保された屈曲部１３を圧入治具で押圧することによって、固定部材７を圧入部１１に圧入させることができる。
【００４１】
従って、このような基板用コネクタ１では、ハウジング５の側壁９に圧入治具を挿入可能な凹部を設ける必要がなく、ハウジング５の大型化を抑制して固定部材７を圧入部１１に圧入することができる。
【００４２】
また、屈曲部１３は、圧入部１１と対向する対向面が圧入部１１に当接されているので、屈曲部１３と圧入部１１との当接を目視することができ、容易に固定部材７の圧入部１１への圧入状況を検知することができる。加えて、屈曲部１３と圧入部１１との当接によって固定部材７の圧入部１１に対する位置決めを行うことができる。
【００４３】
さらに、屈曲部１３の屈曲代は、圧入部１１のハウジング５の側壁９と対向する対向壁１５の肉厚と同等に設定されているので、屈曲部１３が圧入部１１から張り出すことがなく、大型化を抑制することができる。
【００４４】
なお、本発明の実施の形態に係る基板用コネクタでは、圧入部の対向壁が両側壁を連結するように一部材で形成されているが、これに限らず、両側壁から対向するように延設された一対の対向壁としてもよい。
【００４５】
この場合には、突当部が屈曲部の対向面と当接できるだけの十分な当接面積を確保できるように、一対の対向壁間の距離を設定すればよい。
【符号の説明】
【００４６】
１…基板用コネクタ
３…基板
５…ハウジング
７…固定部材
９…側壁
１１…圧入部
１３…屈曲部
１５…対向壁
【図１】
2014229383.tif 000003
【図２】
2014229383.tif 000004
【図３】
2014229383.tif 000005
【図４】
2014229383.tif 000006
【図５】
2014229383.tif 000007
【図６】
2014229383.tif 000008
【図７】
2014229383.tif 000009